(57)【要約】メガネを鼻の上で支えるためのノーズパッドが開示されている。このノーズパッドは第１の面および第２の面を含み、第２の面は前記第１の面と対向しており且つ着用者の鼻と接触するように構成された接触部を含んでいる。一つの実施例において、第１の面は、第１の外端部、第２の外端部、および前記第１の外端部と前記第２の外端部との間に設けられた中央部を含んでいる。一つの実施例において、第１の外端部、第２の外端部、および中央部は、第１の面に向かい第２の面を通過する光が分散されて着用者の鼻に光が集中しないように構成されている。
2011524552.tif 000002
【特許請求の範囲】
【請求項１】
メガネを鼻の上で支えるためのノーズパッドであって、
第１の外端部、第２の外端部、および前記第１の外端部と前記第２の外端部との間に設けられた中央部を含む第１の面と、
前記第１の面と対向しており且つ前記鼻と接触するように構成された接触部を含む第２の面とを有してなり、
前記第１の外端部、前記第２の外端部、および前記中央部は、前記第１の面に向かい前記第２の面を通過する光が分散されて前記鼻に光が集中しないように構成されている、ノーズパッド。
【請求項２】
前記接触部が曲面である、請求項１記載のノーズパッド。
【請求項３】
前記接触部が略平面または凸面である、請求項１記載のノーズパッド。
【請求項４】
前記中央部が、前記第１の外端部と前記第２の外端部との間に延在する実質的に平らな部分を含んでいる、請求項１記載のノーズパッド。
【請求項５】
前記第１の外端部と前記中央部との間にある第１の丸みが付けられた部分と、前記第２の外端部と前記中央部との間にある第２の丸みが付けられた部分とを含んでいる、請求項４記載のノーズパッド。
【請求項６】
前記第１の外端部および前記第２の外端部がそれぞれ平らな部分を有している、請求項１記載のノーズパッド。
【請求項７】
前記平らな部分が約０．５ｍｍの長さである、請求項６記載のノーズパッド。
【請求項８】
前記第１の外端部と前記第２の外端部の平らな部分が、丸みが付けられた外面を含んでいる、請求項１記載のノーズパッド。
【請求項９】
前記丸みが付けられた外面が、ノーズパッドに実質的に垂直な方向で前記第１の外端部および前記第２の外端部に当たる光の強度を減じるように構成されている、請求項８記載のノーズパッド。
【請求項１０】
前記第１の外端部と前記第２の外端部がそれぞれ実質的に凹面である尖頭部を有している、請求項１記載のノーズパッド。
【請求項１１】
前記第１の外端部と前記第２の外端部は、断面において、曲面あるいは丸みが付けられた部分を含んでいない、請求項１記載のノーズパッド。
【請求項１２】
ノーズパッドが、ノーズパッドをメガネフレームに連結するための支持構造を含んでいる、請求項１記載のノーズパッド。
【請求項１３】
前記支持構造が、光を実質的に均一なパターンで前記鼻に分散する、請求項１記載のノーズパッド。
【請求項１４】
前記支持構造がメガネフレームに連結されている、請求項１２記載のノーズパッド。
【請求項１５】
前記第１の外端部、前記中央部、および前記第２の外端部は、前記第１の面の断面の実質的に全長に沿って、連続した実質的に平らな面を提供するように構成されている、請求項１記載のノーズパッド。
【請求項１６】
前記連続した実質的に平らな面が、粗面化あるいは波状化された外面を含んでいる、請求項１５記載のノーズパッド。
【請求項１７】
前記第１の面が不透明である、請求項１記載のノーズパッド。
【請求項１８】
前記第２の面が不透明である、請求項１記載のノーズパッド。
【請求項１９】
前記第１の面が艶消しされている、請求項１記載のノーズパッド。
【請求項２０】
前記第１の面に粒状の構造が設けられている、請求項１記載のノーズパッド。
【請求項２１】
前記第１の面は、鼻に略集中されない光強度で第１の面で光をランダムに分散する表面構造を有している、請求項１記載のノーズパッド。
【請求項２２】
ノーズパッドが実質的に半透明である、請求項１記載のノーズパッド。
【請求項２３】
ノーズパッドがシリコンから実質的に構成されている、請求項１記載のノーズパッド。
【請求項２４】
メガネを鼻の上で支えるためのノーズパッドであって、
第１の面と、
前記第１の面の対向しており且つ前記鼻と接触するように構成された接触部を含む第２の面とを有してなり、
前記第１の面が周期的な凹凸を有する波状面を含んでおり、前記波状面は、前記第１の面に向かい前記第２の面を通過する光が分散されて前記鼻に集中しないように構成されている、ノーズパッド。
【請求項２５】
前記波状面が前記第１の面の実質的に全長にわたって延在している、請求項２４記載のノーズパッド。
【発明の詳細な説明】
【技術分野】
【０００１】
本出願は、それぞれ２００８年９月２日および２００８年６月１６日に出願された仮特許出願第６１／１９０，６３７号および６１／１３２，０６１号の出願日の利益を主張しており、これらの出願の全部は参照することにより本出願に組み込まれ本明細書中に記載されているもの見なされる。
【背景技術】
【０００２】
メガネ（眼鏡）は、一般的には、メガネフレーム（メガネ用フレーム）に取付けられ且つ着用者の鼻に接するノーズパッド（鼻当て）によって、着用者の鼻の上に支持される。この種のノーズパッドは、通常は、プラスチックやシリコン材料から作られ、着用者が苦痛がなく着け心地の良い形状に作られる。
【０００３】
メガネを着用する人は、メガネのノーズパッドが接触する鼻の部位に、腫瘍やさらに深刻な癌性細胞が生じ得ることが知られている。強い紫外線ないし紫外線光は人間の皮膚に癌細胞を発生ないし増加させることが知られている。市販のノーズパッドは、メガネフレームに取付られたノーズパッドの表面に当たる入射線（入射光）のエネルギーを集中ないし集光することが知られている。この光線はノーズパッドを通過して反対側まで達し、また着用者の鼻がある場合には、光線は着用者の鼻の側の特定の領域に光学的に集中される。この結果、光学的な集中がされるノーズパッドのデザインによっては、着用者の鼻に光が集中する領域が存在する。要するに、ノーズパッドが、入射光エネルギーを着用者の鼻の皮膚に集光する、ルーペ（虫メガネ）として機能する。これにより、ノーズパッドの下側の皮膚が、皮膚癌のような異常状態となる可能性が増大する。解決すべき問題は、従来の透明なノーズパッドのデザインの場合、着用者の鼻に当たる光が局所的に強度が増大することで、着用者の鼻の基部に癌細胞が形成される可能性が高いことである。
【発明の概要】
【発明が解決しようとする課題】
【０００４】
本発明は、ノーズパッドを通って着用者の鼻に達する入射太陽光の光強度（光量）を平均化ないし一様にするための補助となるメガネ用ノーズパッドを提供するものである。
これは、メガネフレームに取付けられたノーズパッドの形状を、少なくとも一部、変更することによって達成される。この結果、最終的に着用者の鼻に当たる光線が集中することがなくなる。これにより、着用者の鼻に接触するノーズパッドの表面（外端）と正反対側つまり真向かいにある着用者の鼻に当たる光線が低減される。
【課題を解決するための手段】
【０００５】
本願発明によれば、メガネ用ノーズパッドの形状は、ノーズパッドを通る光の光伝達特性（光透過特性）に従って特定される。第１の面（メガネ用フレームに取付けられた面）と第２の面（鼻の側部に接触する面）の両方の輪郭ないし外形は、ノーズパッドを通って進む光が分散されるように設定されており、着用者の鼻に当たる際に特定の１つの部位に集光することがない。この結果、着用者の鼻に当たる紫外線（UV)）光の強度のレベルが低減され、これが従来技術に優る有利な点である。
【０００６】
他の実施形態において、第２の面から鼻に当たる局所的な（局部に集中された）光の強度は、波状（起伏した形状）の第１の面に案内ないし導くことで低減され、この波状の面は光線を周期的に分散する機能を果たす。
【０００７】
別の実施形態において、第２の面から鼻に当たる局所的な（局部に集中された）光の強度は、粗い第１の面（粗面である第１の面）に案内ないし導くことで低減され、この粗面は光線をランダムに分散する機能を果たす。
【０００８】
さらに他の実施形態において、ノーズパッドの第１の面の外端（外縁）だけが粗面となっており、ノーズパッドに垂直な方向で第１の面に当たる光線の強度が低減される。
【図面の簡単な説明】
【０００９】
【図１】従来のノーズパッドを備えた、従来のメガネフレームの斜視図である。
【図２】図１の従来のノーズパッドの断面図である。
【図３】図２のノーズパッドの例示的な断面図である。
【図４】従来形状の光学的効果を示した、従来のノーズパッドの断面図である。
【図５】本願発明のノーズパッドの第１の実施例の断面図である。
【図６】本願発明のノーズパッドの第１の実施例の平面図である。
【図７】本願発明のノーズパッドの第１の実施例の一部断面図である。
【図８】本願発明のノーズパッドの第１の実施例の例示的な斜視図である。
【図９】本願発明のノーズパッドの第１の実施例の例示的な断面図である。
【図１０】本願発明のノーズパッドの第１の実施例における入射光線への効果を示した例示的な断面図である。
【図１１】パラメータａ、およびｂを単位とした楕円曲線形状の例示的な説明図である。
【図１２】本願発明のノーズパッドの第１の実施例の断面図である。
【図１３】本願発明のノーズパッドの第１の別の実施例の例示的な断面図である。
【図１４】本願発明のノーズパッドの第２の別の実施例の例示的な断面図である。
【図１５】本願発明のノーズパッドの第２の別の実施例における入射光線への効果を示した断面図である。
【図１６】本願発明の第３の別の実施例における入射光線への効果を示した断面図である。
【図１７】本願発明の第４の別の実施例のノーズパッドの断面図である。
【発明を実施するための形態】
【００１０】
図面の第１図を参照して、テンプル１３Ａ，１３Ｂを含み、ノーズピースアーム（クリングスの足）１４Ａ，１４Ｂに取り付けられた従来技術のノーズパッド２２Ａ，２２Ｂ（同一物、または左用と右用）を有する、従来のメガネフレーム１２の斜視図が示されている。テンプル１３Ａ，１３Ｂはメガネフレームを着用者の両耳の上に支持する。支持領域２０において着用者の鼻の上でメガネフレームを支持するノーズパッド２２Ａ，２２Ｂは、通常は、実質的に透明であり、プラスチックやシリコンのような材料で作られる。シリコンは、美的理由で実質的に透明であるのみならず、着用者の鼻梁上においてスライドに対する抵抗力があるため、特に一般的にである。残念なことに、この種の従来のノーズパッド２２Ａ，２２Ｂの一般的な形状は、着用者の鼻梁つまり鼻の付け根に太陽からの入力光線を集中させる。ノーズピースアーム１４Ａ，１４Ｂに取り付けられたノーズパッド２２Ａ，２２Ｂの表面に当たった光線はノーズパッド２２Ａ，２２Ｂを通り、ノーズパッド２２Ａ，２２Ｂの光学特性により影響を受ける。
【００１１】
次に図２を参照して、一般的なノーズパッド２２Ａ，２２Ｂが示されている。光線は、ノーズパッド２２Ａ，２２Ｂの外端を通って移動する際に、屈折され、着用者の鼻の上の第２の面３２から特定の領域、主にノーズパッド２２Ａ，２２Ｂの縁に沿って、集光された状態で出て行く。この集光された光が鼻の癌の危険性ないし危険度を増大させる。次に、従来のノーズパッドの代表としてノーズパッド２２Ａだけを参照すれば、このノーズパッド２２Ａは曲面部３４により結合された第１の面３０と第２の面３２とを有している。ここで、第１の面３０と第２の面は共に凸面形状であり、第１の面３０は図１に示されたノーズピースに取り付けられ、また第２の面３２は着用者の鼻（図示せず）に支えられるものである。第１の面３０と第２の面３２は、場合によっては凸面形状でなく平らな形状であっても良いが、いずれの形状の場合も外端部分３５において同様な集光効果が生じる。曲面部３４またはこの付近において従来のノーズパッド２２Ａ，２２Ｂの縁に当たった入力光線は、シリコンのノーズパッド形状の光学特性によって外端部分３５で屈折され、外端部分３５においてノーズパッド２２Ａ，２２Ｂから出る際に着用者の鼻の側面のような特定の領域で集光される。これにより、太陽光のＵＶＡおよびＵＶＢの強度ないし強さが局部的に、第１の面３０に当たる入射光の強度の約１．４から２倍に増大する。このような局部的な強度増大により、着用者の鼻の当該領域において皮膚癌の可能性が増大する結果を招く。
【００１２】
図３に、図１の従来のノーズパッド２２Ａの例示的な断面図を示した。この実施例では、第１の面３０Ａは平らであり、第２の面３２Ａは第１の面３０Ａより小さくて短く、両方の面は曲面部３４Ａにより結合されている。図３の一部断面図に示したこの形状の光学的効果を図４にグラフ的に示した。図１に図示したノーズピースアーム１４Ａに取り付けられた、第１の面３０Ａに、平行な入力光線（入力光線群）４０は当たる。解析の目的のため、区域４２に当たる多様な入射太陽光線４０は、曲面３４Ａにおいて従来のノーズパッド２２Ａ’の本体を出る際に屈折されるものとする。ノーズパッド２２Ａ’の光学的な特性のために、光線（光線群）は、鼻の表面４８に沿った着用者の鼻に当たるときに集光されるようになる。出口区域４４の長さは、入射光線（光線群）４０が区域４２を横切る際と同じ数の代表的な光線（光線群）を包含する。ここでの集光は、入射区域４２での入射光の強度レベルの約１．４から２．０倍の強度レベルがある。これは、出口区域４４と比較した入射区域４２の相対的な幅により示されている。
【００１３】
図５を参照して、本願発明の第１の実施例のノーズパッド５０の断面図が示されている。第１の面５２は外端５４、丸みが付けられた部分６０、および中央部５６から構成される。以下の説明では、図５およびこれに続く各断面図において、第１の面は、ポイント５３Ａおよび５３Ｂの間のメガネ側のノーズパッドの一部として規定されるものとする。中央部５６は外端５４により形成される線５８に略並行である。外端５４は、丸みが付けられた部分６０により中央部５６に結合されている。丸みが付けられた部分６０の形状は、図１２および１３を参照して更に定義され明らかにされる。取付片（クリングスの函）６２は、図１に示されたノーズピースアーム１４Ａ，１４Ｂに最終的に取り付けされるために、第１の面５２の中央位置に取り付けられる。ノーズパッドの材料がシリコンである場合の取付法の１つはシリコンに硬質プラスチック片６３を埋め込むことであり、この場合にはプラスチックで突出部６４と取付片６２を統合して具現化し、この取付片６２にノーズピースアーム１４Ａ，１４Ｂ内に形成された開口部（図示せず）を係合させることで、ノーズパッド５０をメガネフレーム１２に保持する。硬質プラスチック片６３は、シリコンに剛性と共に、メガネフレーム１２へのより有効な取付方法を提供する。
【００１４】
ノーズパッド５０の第２の面６６は、外端５４を横切って形成される線５８に対して、やや凸面であるか、あるいは平らであるかのいずれかである。第２の面６６は着用者の鼻に載せて、メガネ１０を鼻のブリッジ上で支持するように設計されている。第１の面５２は曲面部（曲線部）６７によって第２の面６６に結合されている。
【００１５】
次に、図５のノーズパッド６６をＡ−Ａから見た平面図が示された図６を参照する。外端５４は、丸みが付けられた部分６０によって、中央部５６に結合されている。取付片６２は埋め込まれた硬質プラスチック片６３に取り付けられた状態で示されている。突出部６４は、ノーズパッド６６を開口部（図示せず）内に保持する取付片６２の一部であり、ノーズピースアーム１４Ａ，１４Ｂ内に押し込まれる（図１参照）。
【００１６】
図７は、図５のＢ−Ｂに沿ったノーズパッド５０の一部断面図である。この実施例では半径Ｒ１からなる丸みが付けられた部分６０の形状が明確に示されており、この半径はノーズパッド５０の第１の面５２に当たる入射太陽光線の分散を生じるために選択される。この効果は、図９および１０を参照して詳しく説明する。半径Ｒ２は、曲面部（曲線部）６７を形成し、また第２の面６６が着用者の鼻を支えるので着用者の快適さを提供する。丸みが付けられた部分６０の形状は入射光線を分散するのに必要なものとして特定され、この結果、着用者の鼻に当たる光線の強度が最小限となる。別の形状は図１１，１２，１３を参照して説明する。半径Ｒ２はまた、着用者の鼻に当たる光線を分散するために丸みが付けられた部分６０と協働する形をしている。
【００１７】
図８は、第１の面５２、外端５４および丸みが付けられた部分６０および６７をより明確に示す角度から見た本願発明のノーズパッド５０の実施例の例示的な斜視図である。取付片６２は図示されていない。ノーズパッド５０の形状は円形であるが、長円がより一般的な形状である。
【００１８】
次に、図９および１０を参照して、本願発明のノーズパッド５０の例示的な断面図が、着用者の鼻梁の外側を表す鼻接触線４８と共に示されている。入射光線４０は丸みが付けられた部分６０において第１の面５２に当たり、ついてノーズパッド５０を通り第１の面６６から出て行き、接触線４８において着用者の鼻に当たる。
【００１９】
ここで、出口部６８において着用者の鼻に当たる光線４６’は、図４に示された従来のノーズパッド２２Ａ’における出口部４４よりもずっと広い。出口部６８の幅は、入射部４２を横切る入射光線４０の数と同じ数の代表的な光線（光線群）を包含する。入射光線（入射線）４２の長さと出口線６８が略等しいことから、従来のノーズパッド２２Ａとは異なり、鼻接触線４８を横切る着用者の鼻に当たる光線の集中は実質的にない。
【００２０】
次に、図１２および１３の丸みが付けられた部分の形状を楕円を基準として説明するために使用される例示的な楕円曲線形状が示された図１１を参照する。楕円の一般方程式は次式となる。
【００２１】
【数１】
2011524552.tif 000003
【００２２】
上式において、ｘとｙはｘｙ座標系の平面における楕円上の各点を規定し、パラメータａとｂは図１１に示された楕円の幅と高さをそれぞれ定義している。
【００２３】
パラメータａおよびｂを単位とする楕円形の一般的な形状は図１１に示されている。ノーズパッドの表面の大部分は平らであり、この表面は両端においてのみ曲がっているので、図１２および１３に示されたノーズパッド５２Ａを定義するためには楕円の４分の１の部分だけを使用すれば良い。よって、ノーズパッド５０Ａ，５０Ｂの第２の面６６Ａ，６６Ｂは、その長さがノーズパッド５２Ａ，５２Ｂの大きさに関連付けされた直線、さらに加えてこの直線の両端に付加された楕円の４分の１の部分により定義される。
【００２４】
次に図１２を参照して、図１２には、本願発明の図９に最初に示したノーズパッド５０の実施例の例示的な断面図が示されている。第１の面５２は、中央部５６，外端５４、および楕円の４分の１（１／４）として形成された丸みが付けられた部分６０から構成されている。中央部５６は丸みが付けられた部分６０によって外端５４に結合されている。楕円１の４分の１の部分は幅ａｉ、高さｂｉを有している。ノーズパッド５０の第２の面６６は、第２の面６６に関連して配置され且つ図１２に示したようにその幅および高さがそれぞれａｏおよびｂｏである他の楕円２により画定ないし規定される。第２の面の楕円から第１の面の楕円に対するノーズパッド５０の長さ方向のずれは、単一のパラメータｃにより定義ないし規定される。ノーズパッドの中央部において測定したメガネ用ノーズパッド５０の厚さはｂｏで与えられる。よって、ノーズパッドの断面形状は、図１２のように５つのパラメータａｏ、ｂｏ、ａｉ、ｂｉ、ｃにより規定される。一例として、所望の結果を得るためには、ａｏ、ｂｏ、ａｉ、ｂｉ、ｃのｍｍ値はそれぞれ２．５，２，２，１，０．５である。これらの値はあくまでも一例であり、ａｏ、ｂｏ、ａｉ、ｂｉ、ｃを他の値としても所望の結果を得ることができる。
【００２５】
次に、本願発明のノーズパッド５０Ｂの第１の他の実施例の例示的な断面図を示した図１３を参照する。図１２の丸みが付けられた部分６０は、尖頭部（尖端部）７０を含むように変形されている。新しい丸みが付けられた部分６０Ｂは、外端５４Ｂ、尖頭部７０および楕円部７２を含んでいる。
【００２６】
図１２に示された上記のデザインないし構造は、ノーズパッド５０Ｂの第１の面５２Ｂにに対して垂直以外の角度で入る光に対して適合したものである。垂直でない光が一般的ないし通常ではあるが、ノーズパッド５０Ｂに垂直に光が入る可能性がある。この場合、図１２に示したデザインないし構造では皮膚に光が集中ないし集光する可能性が有り得る。図１３に示したように、ノーズパッドの第１の面５６Ｂの丸みが付けられた部分６０Ｂに尖頭部７０を付け加えることで、この特別な場合に対処ないし対応できる。なお、尖頭部は外端５４Ｂから距離ｄだけ延在して、楕円部７２に連絡ないし交わる。
【００２７】
次に、本願発明のノーズパッド８０の第２の他の実施例の例示的な断面図が示された、図１４を参照する。第１の面８２は、平らな部分として示されているが、周期的な凹凸（起伏）の形態である波状面を設けることで改良ないし変更されている。ノーズピースの延長部であるノーズピースアーム１４Ａ，１４Ｂへの取付のために第１の面８２まで延在する取付片は図示されていない。第１の、波状の面８２は曲面部（曲線部）８８によって第２の面８６に連結されている。この実施例は、ノーズパッド８０の第１の面８２を波状面８４を有するように加工ないし作ることを含んでいる。この波状面は周期的ないし断続的に入射光を分散し、ノーズパッドの第１の面から出る光が鼻のいずれかの場所に集中することが防止される。１つの実施例を以下に説明する。
【００２８】
波状面８４はｘ方向およびｙ方向に伝搬する余弦波によって次のように定義される。
【００２９】
【数２】
2011524552.tif 000004
【００３０】
上式において、Ｚは面８２と垂直な方向における偏差（ｍｍ）であり、Ａは変動（変化）の最大振幅（ｍｍ）であり、αおよびβはそれぞれｘ方向およびｙ方向における変動（変化）の空間周波数である。この式において、ｘ＝０、ｙ＝０の点は、ノーズパッド８０の第１の面８２上のおおよその中央点を表す。但し、この（０，０）の点は、ノーズパッド８０上の第１の面８２上の平面内、あるいはノーズパッドを外れた平面内の、いずれかの他の点に属する場合もある。各空間周波数は長さの逆数の単位（ｍｍ）で測定ないし計測される。この周期的な式を検討すれば、α＝βに対して、各周波数は等しく、よって周期的なパターンは一連の同心円（同心円の組）となり、これは望ましい形態とは言えない。周期性のある面の形態で不規則な平面を作る手法は、α／βあるいはβ／αの比率が整数（整数値）ではないようにすることである。この方法により、ｘ方向およびｙ方向における各余弦波の各交点の各ピークが非同時的に起きるようになり、光の分散を広い変動量で行うことを確実にできる。周期的な面に平行な光線が入射した効果を図１５に示した。図１５に示したように、波状面に対しては、Ａ、αおよびβの値をそれぞれ０．０２、４．および５とすることで望ましい結果が得られることが知得された。しかしながら、Ａ、α、およびβに対して他の値も同様に好適である。
【００３１】
次に、ノーズパッド８０の波状面８４を通って光線が通過することを示した、ノーズパッド８０の一部の例示的な断面図が図示されている図１５を参照する。入射光線９０Ａは、波状面８４’を有する第１の面８２’に当たる。光線９０Ａは、周期的な粗面８４’を通過する際、分散された光線９０Ｂ’で例示されたように、予め少し分散されるようになる。このようにして、散乱され出力される光線９０Ｃ’で示したように、鼻の表面４８において着用者の鼻に集中された光が当たる領域は存在しない。
【００３２】
次に、本願発明の第３の別の実施例のノーズパッド８０の一部の例示的な断面図であり、ノーズパッド８０の粗面８４を光線が通過することを示した、図１６を参照する。入射光線９０Ａは、ランダムつまり不規則な粗面８４を有する第１の面８２に当たる。光線９０Ａは、ランダムな粗面８４を通過する際に、散乱された内部の光線９０Ｂで例示したように、ランダム（不規則）に散乱されるようになる。このようにして、出てくる散乱された光線９０Ｃで示されるように、鼻の表面４８において着用者の鼻に当たる光線が集中される領域がなくなる。この実施例は、ノーズパッド８０の第１の面８２を、粗面８４を有するように作ることで構成される。この粗面は入射光線をランダムに分散し、これにより、ノーズパッドの第２の面から出る光は鼻のどの点においても集中されることはない。粗面は多くの方法で具現化でき、その全ては本願発明の範囲内である。上記のランダムに分散する効果は図１６に示されている。一例として、この面は−０．０５ｍｍから＋０．０５ｍｍの範囲の均一に分散ないし分布されたランダムな数ないし数字の組により定義され、変化（変動）は０．０５ｍｍの周波数ないし頻度（度数）で発生する。このランダムな数は、面を定義ないし規定するための、３次スプライン曲線適合プログラム（cubic spline curve fitting program）により結合される。均一に分散することは、数学の確率論の当業者ないし専門家であれば公知である。ランダムな面の利点は、図２に示したようにノーズパッドのメガネ側が平滑である標準的なノーズパッドを比較することで理解できる。このランダムな面は、当業者に公知であるいくつかの方法により実現し得る。例えば、射出成形されたノーズパッドの場合、いくつかの種類の酸エッチング法により金型上にランダムなパターンが加えられる。あるいは、粗面は、ノーズパッドが成形された後においてノーズパッドの第１の面をサンドブラスティング（砂の吹き付け）を行うことで、設けることができる。当業者には粗面を設ける他の方法は公知である。
【００３３】
次に、外端９０が粗面９２である他は図１２のノーズパッド５０Ａと同じである、本願発明の第４の別の実施例のノーズパッド８８の断面図が示されている、図１７を参照する。粗面９２は、ノーズパッド８８の第１の面５６に垂直な方向からノーズパッド８８に光が入射した場合に対応している。この実施例の特徴は、上記したノーズパッド５０の凹面形状に、図１２に示したノーズパッド５０の外端５４だけに限定して粗面９２を組み合わせたことにある。
【図１】
2011524552.tif 000005
【図２】
2011524552.tif 000006
【図３】
2011524552.tif 000007
【図４】
2011524552.tif 000008
【図５】
2011524552.tif 000009
【図６】
2011524552.tif 000010
【図７】
2011524552.tif 000011
【図８】
2011524552.tif 000012
【図９】
2011524552.tif 000013
【図１０】
2011524552.tif 000014
【図１１】
2011524552.tif 000015
【図１２】
2011524552.tif 000016
【図１３】
2011524552.tif 000017
【図１４】
2011524552.tif 000018
【図１５】
2011524552.tif 000019
【図１６】
2011524552.tif 000020
【図１７】
2011524552.tif 000021
【国際調査報告】
2011524552.tif 000022
2011524552.tif 000023